(57)【要約】      （修正有）【課題】全体としてコンパクトな形状を有し、かつガバナ動作時にガバナロープに対する掴み作用を確実に行なうことができるエレベータ用調速機を提供する。【解決手段】エレベータ用調速機１はガバナベース９と、ガバナロープ１２が巻付けられたシーブ２と、シーブ２とともに回転するラチェット３と、ラチェット３に連結されたロッド５とを備えている。ガバナベース９に第１シャフト８を介してシューベース７が取付けられ、シューベース７はロッド５に連結されている。シューベース７に第２シャフト１１を介してシュー１０が取付けられている。シュー１０には切欠きが形成され、ガバナ動作しない初期状態においてシュー１０はシューベース７の回転方向と同一方向に回転する。【選択図】図１
2006176292.tif 000002
【特許請求の範囲】
【請求項１】
ガバナベースと、
前記ガバナロープが巻付けられたシーブと、
前記シーブに同軸に取付けられ、前記シーブとともに回転自在のラチェットと、
前記ラチェットに連結されたロッドと、
一端部が前記ガバナベースに第１シャフトを介して回転自在に取付けられ、他端部が前記ロッドに係合するシューベースと、
前記シューベースに第２シャフトを介して回転自在に保持され、前記シーブ上のガバナロープを押圧するシューとを備え、
前記シューのうち前記第２シャフトに対する反回転方向部分に切欠きが形成されて、回転方向部分が反回転方向部分より重くなっていることを特徴とするエレベータ用調速機。
【請求項２】
ガバナベースと、
前記ガバナロープが巻付けられたシーブと、
前記シーブに同軸に取付けられ、前記シーブとともに回転自在のラチェットと、
前記ラチェットに連結されたロッドと、
一端部が前記ガバナベースに第１シャフトを介して回転自在に取付けられ、他端部が前記ロッドに係合するシューベースと、
前記シューベースに第２シャフトを介して回転自在に保持され、前記シーブ上のガバナロープを押圧するシューとを備え、
前記シューの前記第２シャフトは、前記第２シャフトに対する回転方向部分が反回転方向部分より重くなるような位置に配置されていることを特徴とするエレベータ用調速機。
【請求項３】
ガバナベースと、
前記ガバナロープが巻付けられたシーブと、
前記シーブに同軸に取付けられ、前記シーブとともに回転自在のラチェットと、
前記ラチェットに連結されたロッドと、
一端部が前記ガバナベースに第１シャフトを介して回転自在に取付けられ、他端部が前記ロッドに係合するシューベースと、
前記シューベースに第２シャフトを介して回転自在に保持され、前記シーブ上のガバナロープを押圧するシューとを備え、
前記シューおよび前記シューベースのうち、少なくとも一方に磁石が設けられて、前記シューは前記シューベースの回転方向に回転することを特徴とする請求項１記載のエレベータ用調速機。
【請求項４】
ガバナベースと、
前記ガバナロープが巻付けられたシーブと、
前記シーブに同軸に取付けられ、前記シーブとともに回転自在のラチェットと、
前記ラチェットに連結されたロッドと、
一端部が前記ガバナベースに第１シャフトを介して回転自在に取付けられ、他端部が前記ロッドに係合するシューベースと、
前記シューベースに第２シャフトを介して回転自在に保持され、前記シーブ上のガバナロープを押圧するシューとを備え、
前記シューのうち前記第２シャフトに対する回転方向部分におもりが取付けられて、回転方向部分が反回転方向部分より重くなっていることを特徴とするエレベータ用調速機。
【発明の詳細な説明】
【技術分野】
【０００１】
本発明は、エレベータ用調速機に係り、とりわけ掴み作用を確実に働すことができるエレベータ用調速機に関する。
【背景技術】
【０００２】
図１１に従来のキャッチ式エレベータ用調速機の一例を示す。エレベータ用調速機１はガバナロープ１２が巻付けられたシーブ２と、シーブ２を囲むガバナベース９と、シーブ２に取付けられたラチェット３とを備えている。
【０００３】
シーブ２には爪４が取付けられ、ラチェット３にロッド５が取付けられている。ロッド５の先端にスプリング６を介してシューベース７が取付けられ、シューベース７は第１シャフト８により、ガバナベース９に取付けられている。またシューベース７に第２シャフト１１を介してシュー１０が取付けられている。
【０００４】
ガバナ動作前、シュー１０はシューベース７のストッパーにより、回転せずに初期状態を保持している。そして、ガバナ動作時には爪４がラチェット３にかみこみ、ラチェット３はシーブ２とともに回転する。
【０００５】
ラチェット３の回転により、ロッド５が引っ張られ、スプリング６が圧縮される。スプリング６がシューベース７を押付け、シューベース７に取付けられたシュー１０がガバナロープ１２を押付ける。
【発明の開示】
【発明が解決しようとする課題】
【０００６】
従来、シューベース７はシーブ２の側方に配置されているため、調速機１の水平方向長さが大きくなっている。調速機１を小型化するためガバナベース９の水平方向長さを縮めるとともに、シューベース７をシーブ２上部へ移動する場合、シュー１０はシューベース７のストッパとは反対方向に回転することが考えられる。この場合、シューベース７のストッパの位置を逆にすると、ガバナ動作時に、シューとストッパが干渉してしまうという問題が生じる。
【０００７】
本発明はこのような点を考慮してなされたものであり、エレベータ用調速機の初期状態を保持でき、ガバナ動作時に掴み作用を確実に働すことができるエレベータ用調速機を提供することを目的とする。
【課題を解決するための手段】
【０００８】
本発明は、ガバナベースと、ガバナロープが巻付けられたシーブと、シーブに同軸に取付けられ、シーブとともに回転自在のラチェットと、ラチェットに連結されたロッドと、一端部がガバナベースに第１シャフトを介して回転自在に取付けられ、他端部がロッドに係合するシューベースと、シューベースに第２シャフトを介して回転自在に保持され、シーブ上のガバナロープを押圧するシューとを備え、シューのうち第２シャフトに対する反回転方向部分に切欠きが形成されて、回転方向部分が反回転方向部分より重くなっていることを特徴とするエレベータ用調速機である。
【０００９】
本発明は、ガバナベースと、ガバナロープが巻付けられたシーブと、シーブに同軸に取付けられ、シーブとともに回転自在のラチェットと、ラチェットに連結されたロッドと、一端部がガバナベースに第１シャフトを介して回転自在に取付けられ、他端部がロッドに係合するシューベースと、シューベースに第２シャフトを介して回転自在に保持され、シーブ上のガバナロープを押圧するシューとを備え、シューの第２シャフトは、第２シャフトに対する回転方向部分が反回転方向部分より重くなるような位置に配置されていることを特徴とするエレベータ用調速機である。
【００１０】
本発明は、ガバナベースと、ガバナロープが巻付けられたシーブと、シーブに同軸に取付けられ、シーブとともに回転自在のラチェットと、ラチェットに連結されたロッドと、一端部がガバナベースに第１シャフトを介して回転自在に取付けられ、他端部がロッドに係合するシューベースと、シューベースに第２シャフトを介して回転自在に保持され、シーブ上のガバナロープを押圧するシューとを備え、シューおよびシューベースのうち、少なくとも一方に磁石が設けられて、シューはシューベースの回転方向に回転することを特徴とするエレベータ用調速機である。
【００１１】
本発明は、ガバナベースと、ガバナロープが巻付けられたシーブと、シーブに同軸に取付けられ、シーブとともに回転自在のラチェットと、ラチェットに連結されたロッドと、一端部がガバナベースに第１シャフトを介して回転自在に取付けられ、他端部がロッドに係合するシューベースと、シューベースに第２シャフトを介して回転自在に保持され、シーブ上のガバナロープを押圧するシューとを備え、シューのうち第２シャフトに対する回転方向部分におもりが取付けられて、回転方向部分が反回転方向部分より重くなっていることを特徴とするエレベータ用調速機である。
【発明の効果】
【００１２】
以上のように本発明によれば、シューベースをシーブ上方にもってくることができるため、エレベータ用調速機の形状を全体としてコンパクトにすることができる。またガバナ動作時に、ガバナローブに対する掴み作用を確実に行なうことができる。
【発明を実施するための最良の形態】
【００１３】
第１の実施の形態
以下、図面を参照して本発明の実施の形態について説明する。図１乃至図３は、本発明によるエレベータ用調速機の第１の実施の形態を示す図である。
【００１４】
図２に示すようにエレベータかご１４の側方にガバナロープ１２が配置され、このガバナロープ１２はエレベータかご１４に設けられたセフティリンク１３に連結されている。
【００１５】
またガバナロープ１２はエレベータ用調速機１により掴み作用を受けるようになっている。
【００１６】
エレベータ用調速機１は、図１に示すようにガバナロープ１２が巻付けられたシーブ２と、シーブ２を囲むガバナベース９と、シーブ２に同軸に取付けられ、シーブ２とともに回転自在のラチェット３とを備えている。
【００１７】
シーブ２には爪４が取付けられ、ラチェット３にロッド５が取付けられている。ロッド５にスプリング６およびシューベース７が取付けられ、シューベース７は第１シャフト８により、ガバナベース９に取付けられている。またシューベース７に第２シャフト１１を介してシュー１０が取付けられている。この場合、シューベース７のうち第１シャフト８側が一端部７ｂとなり、ロッド５側が他端部７ｃとなる。またロッド５に取付けられたシューベース７は、スプリング６によりシーブ２側へ押付けられている。
【００１８】
また図１に示すように、シューベース７はシーブ２の斜め上方に配置され、このため図１１に示す従来技術に比較してガバナベース９の水平方向（図１の左右方向）長さが短くなり、エレベータ用調速機１は全体としてコンパクトに形成されている。
【００１９】
図１および図３に示すように、シューベース７は第１シャフト８を介してガバナベース９に取付けられており、後述するガバナ動作時にシューベース７は矢印Ａ方向に回転して、シュー１０をガバナロープ１２に押付けるようになっている。
【００２０】
またシュー１０は、ガバナ動作しない初期状態において、シュー１０はガバナ動作時のシューベース７の回転方向（矢印Ａ方向）と同一方向へ回転してシューベース７に係合する。
【００２１】
すなわち、シュー１０のうち第２シャフト１１に対する反回転方向部分１０ｃに切欠き１０ａが形成され、シュー１０は回転方向部分１０ｂが反回転方向部分１０ｃより重くなっている。このためシュー１０は第２シャフト１１を中心として矢印Ａ方向へ回転するが、初期状態においてシューベース７に当接してシュー１０の回転が停止する。
【００２２】
次にこのような構成からなる本実施の形態の作用について説明する。
【００２３】
ガバナ動作前の初期状態において、シュー１０はシューベース７により、回転せずに初期状態を保持している。そして、ガバナ動作時には爪４がラチェット３にかみこみ、ラチェット３はシーブ２とともに回転する。ラチェット３の回転により、ロッド５が引っ張られ、スプリング６が圧縮される。スプリング６がシューベース７を押付け、シューベース７に取付けられたシュー１０が、ガバナロープ１２を押付ける。ガバナロープ１２はその押付け力によりエレベータかごのセフティリンク１３を動作させ、エレベータかご１４を安全に停止させる。
【００２４】
以上のように本実施の形態によれば、シュー１０に切欠き１０ａを設けることによって、切欠き１０ａがなければ、矢印Ｂ方向へ回転してしまうシュー１０を矢印Ａ方向へ回転させることができる。
【００２５】
これによりシュー１０を、初期状態において、ガバナ動作時のシューベース７の回転方向と同一方向に回転させ、シューベース７に係合させて停止させることができる。
【００２６】
このためシューベース７をシーブ２の上方に配置することができ、エレベータ用調速機全体の形状をコンパクトにすることができる。またシューベース７のストッパの位置を従来と反対方向にもってくる必要もなく、ガバナ動作時にシュー１０とストッパとが干渉することはない。このためガバナ動作時にガバナロープ１２に対する掴み作用を確実に行なうことができ、かつ調速機全体の形状をコンパクトにすることができる。
【００２７】
第２の実施の形態
以下、図４および図５により本発明の第２の実施の形態について説明する。
【００２８】
図４および図５に示す第２の実施の形態は、シュー１０に切欠き１０ａを設けることなく、第２シャフト１１に対する回転方向部分１０ｂが反回転方向部分１０ｃより重くなるよう、第２シャフト１１を反回転方向部分１０ｃ側に矢印Ｃ方向に沿って移動させたものである。
【００２９】
図４および図５に示す第２の実施の形態において、図１乃至図３に示す第１の実施の形態と同一部分には同一符号を符して詳細な説明は省略する。
【００３０】
図４および図５において、ガバナ動作しない初期状態においてシュー１０は矢印Ａ方向へ回転し、シューベース７に係合して停止する。
【００３１】
本実施の形態によれば、シュー１０に切欠き１０ａを設けることなく、第２シャフト１１の位置を変更するだけで初期状態において、シュー１０を矢印Ａ方向に回転させることができる。
【００３２】
第３の実施の形態
以下、図６および図７により本発明の第３の実施の形態について説明する。
【００３３】
図６および図７に示す第３の実施の形態は、シュー１０に切欠き１０ａを設けることなく、シューベース７およびシュー１０の双方に、互いに対向する一対の磁石１５，１５を取付け、この磁石１５，１５の反発力により初期状態においてシュー１０を矢印Ａ方向に回転させたものである。
【００３４】
図６および図７に示す第２の実施の形態において、図１乃至図３に示す第１の実施の形態と同一部分には同一符号を符して詳細な説明は省略する。
【００３５】
図６および図７において、ガバナ動作しない初期状態において、シュー１０は矢印Ａ方向に回転しシューベース７に係合して停止する。
【００３６】
なお、磁石１５，１５は互いに引き合うものを用いてシュー１０を矢印Ａ方向に回転させてもよく、また磁石はシューベース７およびシュー１０のうち少なくとも一方に設けてシュー１０を矢印Ａ方向に回転させてもよい。
【００３７】
第４の実施の形態
以下、図８乃至図１０により本発明の第４の実施の形態について説明する。
【００３８】
図８乃至図１０に示す第４の実施の形態は、シュー１０に切欠き１０ａを設けることなく、シュー１０のうち第２シャフト１１に対する回転方向部分１０ｂに調整おもり１６を取付け、この調整おもり１６により回転方向部分１０ｂを反回転方向部分１０ｃより重くしたものである。
【００３９】
図８乃至図１０に示す第４の実施の形態において、図１乃至図３に示す第１の実施の形態と同一部分には同一符号を符して詳細な説明は省略する。
【００４０】
図８乃至図１０において、シュー１０の回転方向部分１０ｂに調整おもり１６が取付けられているので、ガバナ動作しない初期状態においてシュー１０は矢印Ａ方向に回転し、シューベース７に係合して停止する。
【図面の簡単な説明】
【００４１】
【図１】本発明によるエレベータ用調速機の第１の実施の形態を示す側面図。
【図２】本発明によるエレベータ用調速機の第１の実施の形態を示す概略全体図。
【図３】本発明によるエレベータ用調速機の第１の実施の形態を示す拡大図。
【図４】本発明によるエレベータ用調速機の第２の実施の形態を示す側面図。
【図５】本発明によるエレベータ用調速機の第２の実施の形態を示す拡大図。
【図６】本発明によるエレベータ用調速機の第３の実施の形態を示す側面図。
【図７】本発明によるエレベータ用調速機の第３の実施の形態を示す拡大図。
【図８】本発明によるエレベータ用調速機の第４の実施の形態を示す側面図。
【図９】本発明によるエレベータ用調速機の第４の実施の形態を示す拡大図。
【図１０】本発明によるエレベータ用調速機の第４の実施の形態におけるシューを示す斜視図。
【図１１】従来のエレベータ用調速機を示す側面図。
【符号の説明】
【００４２】
１  エレベータ用調速機
２  シーブ
３  ラチェット
４  爪
５  ロッド
６  スプリング
７  シューベース
８  第１シャフト
９  ガバナベース
１０  シュー
１０ａ  切欠き
１０ｂ  回転方向部分
１０ｃ  反回転方向部分
１１  第２シャフト
１２  ガバナロープ
１５  磁石
１６  調整おもり
【図１】
2006176292.tif 000003
【図２】
2006176292.tif 000004
【図３】
2006176292.tif 000005
【図４】
2006176292.tif 000006
【図５】
2006176292.tif 000007
【図６】
2006176292.tif 000008
【図７】
2006176292.tif 000009
【図８】
2006176292.tif 000010
【図９】
2006176292.tif 000011
【図１０】
2006176292.tif 000012
【図１１】
2006176292.tif 000013